(57)【要約】【課題】  メーターの交換作業性がよく、検診時などに発見し易い量水容器を提案する。【解決手段】  少なくとも水道管４に接続された水道メーター５が収納される水道用量水容器１において、容器本体２と、容器本体２に開閉自在に取り付けられた蓋３とを有し、容器本体２に複数の壁面取付部９が設けて、建物の壁面２０に装着可能とした。【選択図】図１
0003121012.tif 000002
【実用新案登録請求の範囲】
【請求項１】
少なくとも水道管に接続された水道メーターが収納される水道用量水容器であって、
容器本体と、この容器本体に開閉自在に取り付けられた蓋とを有し、
前記容器本体には壁面取付部が設けられていることを特徴とする水道用量水容器。
【請求項２】
少なくとも水道管に接続された水道メーターが収納される水道用量水容器であって、
容器本体と、この容器本体に開閉自在に取り付けられた蓋とを有し、
前記容器本体には、前記水道管を挿入可能であり、容器本体内部に連通する脚部が設けられていることを特徴とする水道用量水容器。
【請求項３】
請求項１または２記載の水道用量水容器において、
前記容器本体の内部には、前記水道メーターを下方から支えるメーター受け台が設けられていることを特徴とする水道用量水容器。
【請求項４】
請求項１、２または３記載の水道用量水容器において、
前記容器本体の底部には、開口部が形成されていることを特徴とする水道用量水容器。
【請求項５】
請求項１ないし４の何れかに記載の水道用量水容器において、
前記水道メーターの表示面と対面する容器本体の一部には、透明部が設けられていることを特徴とする水道用量水容器。
【考案の詳細な説明】
【技術分野】
【０００１】  本考案は、水道管に接続された水道メーターが収納される水道用量水容器に関する。
【背景技術】
【０００２】  従来、一般家庭を含む水道利用施設の敷地内には、水道本管から分岐させた引込管が埋設されている。この引込管には、水道使用量を計測する水道メーターと水道利用施設への水の給水／止水を行う開閉弁が接続されている。これら水道メーターや開閉弁は通常、敷地内の地中に埋設された量水容器内に収納されていて、必要に報じて容器の蓋を開閉して給水や止水、水道使用量の検診を行っている。
【考案の開示】
【考案が解決しようとする課題】
【０００３】  従来の量水容器は、地中に設けられているので、水道使用量の検診の際に草等がのびているとその場所を見つけ難いという課題があった。また、定期的に交換が義務づけられている水道メーターを交換する際に、量水容器が地中にある場合、交換作業がやり難いという課題もある。
本発明は、メーターの交換作業性がよく、検診時などに発見し易い量水容器を提案することを、その目的とする。
【課題を解決するための手段】
【０００４】  上記目的を達成するため、本考案にかかる少なくとも水道管に接続された水道メーターが収納される水道用量水容器は、容器本体と、この容器本体に開閉自在に取り付けられた蓋とを有し、容器本体に壁面取付部が設けられていることを特徴としている。【０００５】  本考案にかかる少なくとも水道管に接続された水道メーターが収納される水道用量水容器は、容器本体と、この容器本体に開閉自在に取り付けられた蓋とを有し、容器本体に、水道管が挿入可能であり、容器本体内部に連通する脚部が設けられていることを特徴としている。【０００６】  本考案にかかる水道用量水容器においては、容器本体の内部に、水道メーターを下方から支えるメーター受け台が設けられている点や、容器本体の底部に、開口部が形成されている点、水道メーターの表示面と対面する容器本体の一部に、透明部が設けられていること点を特徴としている。
【考案の効果】
【０００７】  本考案によれば、容器本体と、この容器本体に開閉自在に取り付けられた蓋とを有し、容器本体に壁面取付部が設けられているので、地中ではなく建物の壁面に装着することができ、検診時などに発見し易い場所に設置できるとともに、メーター交換時の作業性も良くなる。【０００８】  本考案によれば、容器本体と、この容器本体に開閉自在に取り付けられた蓋とを有し、水道管が挿入可能であり容器本体内部に連通する脚部が容器本体に設けられているので、容器本体を空中に配置でき、検診時などに発見し易い場所に設置できるとともに、メーター交換時の作業性も良くなる。
【考案を実施するための最良の形態】
【０００９】  本考案の実施の形態について図面を用いて説明する。図１において、符号１は水道用量水容器を示す。水道用量水容器１は、ステンレス等の金属製の容器本体２と、容器本体２に開閉自在に取り付けられた蓋３とを有している。容器本体２は、その一面２Ａが解放された箱であって、その内部に水道管４に接続された水道メーター５と開閉弁６とが収納される。図１は蓋３が開いた状態を示している。【００１０】  蓋３は、容器本体２の解放された一面２Ａを覆うように一面２Ａの上端２Ｂにヒンジ等で開閉自在に支持されている。蓋３の下部３Ａには、蓋３を容器本体２に対して閉鎖状態で保持するフック部７と、蓋３の開放を阻止するロック部１７が設けられている。ロック部１７は、一面２Ａの開口部のフランジ部分に引っかかるアーム部１７Ａと、アーム部１７Ａを回動させる回転支持体１７Ｂとを備えている。ロック部１７は、回転支持体１７Ｂに形成された凹凸部１７Ｃに、この凹凸部１７Ｂと係脱可能な図示しないキーを係合させて閉方向に回転させることでアーム部１７Ａをフランジ部分に対して係合させて蓋３を閉鎖状態にロックする。蓋３の開閉方向としては、本形態のように容器本体２の上下方向ではなく、左右方向に開閉自在であってもよい。【００１１】  一面２Ａを正面にして、その左右方向に位置する容器本体２の側面２Ｃ、２Ｄには、水道管４を容器内部に導入する取込口８Ａ，８Ｂが形成されている。水道管４は、取込口８Ａ，８Ｂから容器本体２内に挿入され、容器本体内で水道メーター５と開閉弁６とが組み付けられて接続される。容器本体２の背面２Ｅには、壁面取付部となる複数の取付孔９・・が形成されているとともに、水道メーター５を下方から支えるメーター受け台１０が装着されている。メーター受け台１０は、金属板をプレスまたは板金でほぼＬ字状に折り曲げたもので、一方の面１０Ａが取付面をなし、他方の面１０Ｂが水道メーター５の下方に配置されてメーター受け面を成している。取付面となる一方面１０Ａと背面２Ｅとの間には必要に応じて補強板を挿入して溶接あるいはボルトなどで共締めて一体化することで、メーター受け台１０の取付強度を高められるので好ましい。【００１２】  容器本体２の底部２Ｆには、容器本体内につながる開口部１２が形成されている。水道メーター５の表示面５Ａと対面する容器本体の一部となる上面２Ｇには、開口１３が形成されている。この開口１４は、透明な板材１５によって塞がれていて、透明部となる点検用の窓部１６を構成している。透明な板材１５は、開口１４周部に図示しないシール用のパッキンを介して図示しないビスで締結固定されている。このため、容器本体２は開口１４からの水や誇りの浸入が防止されている。【００１３】  このような構成の水道用量水容器１の取り付けは、容器本体２の背面２Ｅを建物の壁面２０に適当な高さで当接させて、容器本体２内部から取付孔９にねじなどの締結部材を挿通し、壁面２０にねじ込むことで水道用量水容器１を壁面２０に固定する。そして、予め止水した水道管４を取込口８Ａ及び取込口８Ｂから容器本体２内に挿入し、水道メーター５と開閉弁６を水道管４に組み付けて連結する。この状態で止水を解除し、開閉弁６を開くことで通水可��となる。【００１４】  本形態によると、従来地中に埋設されていた水道用量水容器１を、建物の壁面２０に装着することができるので、検診時などに発見し易い場所に設置できるとともに、メーター交換時の作業性も良くなる。【００１５】  容器本体２の内部には、水道メーター５を下方から支えるメーター受け台１０が設けられているので、メーター交換時にメーター受け台１０で下から支えた状態で交換作業を行えるので作業性がよい。容器本体２の底部２Ｆには、開口部１２が形成されているので、容器本体２内の埃や結露により発生する水、メーター交換時に出る水を容器本体２の外部に排出することができ、容器本体内部を清潔に保つことができる。【００１６】  容器本体２の上面２Ｇには、透明な窓部１６が設けられているので、蓋３を開閉することなく、水道メーター５の表示面５Ａを目視することができ、検診時の作業性が良くなる。【００１７】  上記形態では、水道用量水容器１を建物の壁面２０に装着するようにしたが、設置形態としてはこのような形態に限定されるものではない。例えば、図３に示すように水道管４が挿入可能であり、容器本体内部に連通する中空状の脚部３０，３１を容器本体２に設け、この脚部３０，３１で蓋３の付いた容器本体２を支持する構成としても良い。【００１８】  この場合、容器本体２の底部２Ｆに脚部３０，３１を支持するフランジ３２，３３１をビスで締結固定するとともに、フランジ３２，３３内に位置する底部２Ｆを開口する。そして、脚部３０，３１の上端３０Ａ，３１Ａをフランジ部３２，３３内に挿入して溶接またはビスなどの締結部材によってフランジ部３２，３３と一体化する。脚部３０，３１の下端３０Ｂ，３１Ｂは地中に埋設されるもので、必要に応じて重石となるコンクリートブロック３５，３６内に埋め込まれる。これらブロック３５，３６には、脚部３０，３１の内部に連通する導入穴３５Ａ，３６Ａが形成されている。脚部３０，３１はこの導入穴３５Ａ，３６Ａに挿入された後コンクリートなどによってブロック３５，３６に固定される。中空状の脚部３０，３１の内部には予め保温材３４，３４がそれぞれ挿入されている。【００１９】  脚部３０，３１の埋設方法としては、コンクリートブロック３５，３６ではなく、容器本体２が適切な高さとなるように脚部３０，３１を切断して地中に埋設し、埋設箇所周辺にモルタルを流して重石としてもよい。【００２０】  このような脚部３０，３１を備えた水道用量水容器１においては、導入穴３５Ａ，３６Ａから水道管４，４を脚部３０，３１内にそれぞれ挿入し、容器本体２内まで挿通する。そして、水道メーター５と開閉弁６を水道管４に組み付けて連結する。この状態で止水を解除し、開閉弁６を開くことで通水可能となる。【００２１】  このように、容器本体２に、容器本体内部に連通する脚部３０，３１を設けることで、容器本体２を空中に配置でき、検診時などに発見し易い場所に設置できるとともに、メーター交換時の作業性を向上することができる。図３に示す形態では、保温材３４，３４を予め脚部３０，３１の内部に設けているが、脚部３０，３１に挿入する水道管４，４の外周面に予め巻着しておいてもよい。
【図面の簡単な説明】
【００２２】
【図１】  本発明の一形態である水道用量水容器の構成を示す正面図である。
【図２】  （ａ）は水道用量水容器の平面図、（ｂ）は水道用量水容器の底面図である。
【図３】  脚部を有する水道用量水容器の正面図である。
【符号の説明】
【００２３】１    水道用量水容器
２    容器本体
２Ｆ    容器本体の底部
２Ｇ    対面する容器本体の一部
３    蓋
４    水道管
５    水道メーター
９・・    壁面取付部
１１    メーター受け台
１２    開口部
１６    透明部
３０，３１    脚部
【図１】
0003121012.tif 000003
【図２】
0003121012.tif 000004
【図３】
0003121012.tif 000005